(57)【要約】【課題】点検を容易化する照明装置を提供する。【解決手段】照明装置は、光源と、非常用点灯制御部と、発信機とを具備する。発信機は、近距離無線通信機能により自装置の非常動作における点検情報を発信する。非常用点灯制御部は、商用電源による電力供給時に非常用電源の充電を行い、商用電源による電力供給が停止した場合、光源を非常用電源により点灯させる。また、例えば、照明装置は、点検情報を取得する点検部と、点検部により取得された点検情報を格納する格納部とをさらに具備する。例えば、発信機は、点検情報を要求する要求情報を受信すると、格納部に格納された点検情報を発信する。【選択図】図２
2019165025.tif 000002
【特許請求の範囲】
【請求項１】
自装置に関する情報および所定間隔で自機の識別情報を発信する発信機を備えた照明装置と；
前記発信機から前記識別情報を受信したことをトリガとして前記発信機へ前記照明装置に関する情報を要求する要求信号を送信する端末と；
を具備することを特徴とする照明システム。
【請求項２】
前記照明装置は、前記所定間隔内に前記照明装置に関する情報を発信し終える
ことを特徴とする請求項１に記載の照明システム。
【請求項３】
前記照明装置は、光源と、商用電源による電力供給時に非常用電源の充電を行い、前記商用電源による電力供給が停止した場合、前記光源を前記非常用電源により点灯させる非常用点灯制御部と、自装置の非常動作における点検情報を取得する点検部と、
を有し、
前記発信機は、自装置の非常動作における点検情報および前記識別情報を送信する請求項１または２に記載の照明システム。
【発明の詳細な説明】
【技術分野】
【０００１】
本発明の実施形態は、照明システムに関する。
【背景技術】
【０００２】
従来、非常時に非常用電源を用いて動作し、常時に商用電源から非常用点灯制御部へ供給する電源の一部を用いて動作する無線中継器を具備する照明装置が提供されている。
【先行技術文献】
【特許文献】
【０００３】
【特許文献１】特開２００４−１８５９７８号公報
【発明の概要】
【発明が解決しようとする課題】
【０００４】
ところで、このような照明装置は定期的に点検を行うことが求められる場合がある。このように、定期的に照明装置を点検する場合、照明装置を点検する管理者等の負担が増大するという課題がある。
【課題を解決するための手段】
【０００５】
実施形態の照明システムは、照明装置と、端末とを具備する。照明装置は、自装置に関する情報および所定間隔で自機の識別情報を発信する発信機を備える。端末は、発信機から識別情報を受信したことをトリガとして発信機へ照明装置に関する情報を要求する要求信号を送信する。
【発明の効果】
【０００６】
本発明によれば、照明装置に関する情報の収集を容易化することができる。
【図面の簡単な説明】
【０００７】
【図１】図１は、実施形態に係る点検システムを示す図である。
【図２】図２は、実施形態に係る非常用照明装置の構成を示す図である。
【図３】図３は、実施形態に係る点検システムにおける端末とビーコンとの通信の一例を示す図である。
【図４】図４は、実施形態に係るビーコンによる点検情報の発信の一例を示すフローチャートである。
【図５】図５は、実施形態に係る点検システムにおける端末とビーコンとの通信の一例を示す図である。
【図６】図６は、実施形態に係るビーコンによる分割された点検情報の発信の一例を示すフローチャートである。
【発明を実施するための形態】
【０００８】
以下で説明する実施形態に係る照明装置（以下「非常用照明装置１」とする）は、光源（以下「非常用ランプ２」とする）と、商用電源６による電力供給時に非常用電源３の充電を行い、商用電源６による電力供給が停止した場合、非常用ランプ２を非常用電源３により点灯させる非常用点灯制御部４と、近距離無線通信機能により自装置の非常動作における点検情報を発信する発信機（以下「ビーコン５」とする）とを具備する。
【０００９】
また、以下で説明する実施形態に係る非常用照明装置１において、ビーコン５は、商用電源６による電力供給時に点検情報を発信する。
【００１０】
また、以下で説明する実施形態に係る非常用照明装置１は、点検情報を取得する点検部７と、点検部７により取得された点検情報を格納する格納部８とをさらに具備する。ビーコン５は、点検情報を要求する要求情報を受信すると、格納部８に格納された点検情報を発信する。
【００１１】
また、以下で説明する実施形態に係る非常用照明装置１において、ビーコン５は、点検情報の情報量が発信機の通信量を超えた場合、要求情報の受信に応じて、分割された点検情報を発信する。
【００１２】
また、以下で説明する実施形態に係る点検システム１００において、非常用照明装置１と、要求情報を送信することにより、非常用照明装置１から点検情報を受信する端末９とを具備する。
【００１３】
［実施形態］
まず、本発明の実施形態に係る点検システム１００を図面に基づいて説明する。図１は、実施形態に係る点検システムを示す図である。図１では、端末９が非常用照明装置１から受信した点検情報をサーバ１０へ送信する場合を例示する。なお、点検情報とは、非常用照明装置１における各部の状態を示す情報であるが、詳細は後述する。
【００１４】
図１に示す点検システム１００は、非常用照明装置１と、サーバ１０と、非常用照明装置１及びサーバ１０と通信可能な端末９とを具備する。例えば、端末９は、サーバ１０と無線通信Ｃ１１により通信を行う。例えば、無線通信Ｃ１１は、３Ｇ（Generation）または４ＧまたはＬＴＥ（Long  Term  Evolution）といったモバイルデータ通信規格による通信である。例えば、端末９は、非常用照明装置１が有するビーコン５と無線通信Ｃ１２により通信を行う。例えば、無線通信Ｃ１２は、２．４ＧＨｚ帯使用Ｂｌｕｅｔｏｏｔｈ（登録商標）  Ｌｏｗ  Ｅｎｅｒｇｙ(以下、「ＢＬＥ」とする)無線通信規格による通信である。
【００１５】
図１に示す例において、非常用照明装置１は、光源である非常用ランプ２と近距離無線通信機能により自装置の非常動作における点検情報を発信する発信機であるビーコン５とを具備する。非常用照明装置１は、例えば非常灯等の照明装置である。この場合、非常用照明装置１は、停電時に避難誘導のために室内や廊下を照らす。なお、非常用照明装置１は、非常口や避難通路を示すために設置される誘導灯であってもよい。また、非常用照明装置１は、常時は照明装置として点灯し、停電時に避難誘導のために室内や廊下を照らす照明装置であってもよい。
【００１６】
ビーコン５は、所定間隔で自装置の識別情報を発信する。また、ビーコン５は、外部装置からの要求情報に応じて自装置の非常動作における点検情報を発信する。以下の説明では、非常用照明装置１のビーコン５が各種情報を発信したり受信したりすることを、非常用照明装置１が各種情報を発信したり受信したりすると記載する場合がある。
【００１７】
サーバ１０は、非常用照明装置１を管理制御する装置である。例えば、サーバ１０は、非常用照明装置１から取得した点検情報に基づいて非常用照明装置１の状態を管理する。サーバ１０は、例えば、各非常用照明装置１の設置位置と各非常用照明装置１のビーコン５が発信する識別情報とを対応付けて管理する。これにより、サーバ１０は、識別情報を受信することによりどの位置に設置された非常用照明装置１に関する情報かを特定できる。
【００１８】
端末９は、非常用照明装置１の点検を行う管理者等が使用する携帯端末である。例えば、端末９は、スマートフォンやタブレット端末等である。例えば、端末９には、非常用照明装置１の点検を行うためのアプリケーション（以下単に「アプリ」とする）がインストールされている。また、端末９は、非常用照明装置１に各種情報を送信する。例えば、端末９は、サーバ１０から受信した要求情報を非常用照明装置１に送信する。また、端末９は、サーバ１０に各種情報を送信する。例えば、端末９は、非常用照明装置１から受信した識別情報や点検情報をサーバ１０に送信する。
【００１９】
ここで、サーバ１０は、非常用照明装置１の点検情報を要求する要求情報を無線通信Ｃ１１により端末９に送信する。この場合、端末９は、非常用照明装置１にサーバ１０から受信した要求情報を無線通信Ｃ１２により非常用照明装置１に送信する。例えば、端末９は、サーバ１０から受信した要求情報に含まれる識別情報により識別される非常用照明装置１にサーバ１０から受信した要求情報を非常用照明装置１に送信する。端末９から要求情報を受信した非常用照明装置１は、点検情報を発信する。
【００２０】
非常用照明装置１が発信する点検情報を無線通信Ｃ１２により受信した端末９は、受信した点検情報を無線通信Ｃ１１によりサーバ１０へ送信する。これにより、サーバ１０は、非常用照明装置１の点検情報を取得する。
【００２１】
上述したように、点検システム１００においては、近距離無線通信機能により自装置の非常動作における点検情報を発信するビーコン５を備えた非常用照明装置１を有する。これにより、サーバ１０は、端末９を介して非常用照明装置１から点検情報を取得することができる。このように、点検システム１００は、非常用照明装置１がビーコン５により自装置の非常動作における点検情報を発信することにより、点検を容易化することができる。
【００２２】
［非常用照明装置の構成例］
次に、図２を用いて、実施形態に係る非常用照明装置１の構成について説明する。図２は、実施形態に係る非常用照明装置の構成を示す図である。図２に示すように、非常用照明装置１は、非常用ランプ２と、非常用電源３と、非常用点灯制御部４と、ビーコン５と、商用電源６と、点検部７と、格納部８とを有する。
【００２３】
非常用ランプ２は、商用電源６による電力供給が停止した場合、いわゆる停電時に少なくとも点灯する光源である。以下では、商用電源６による電力供給が停止した状態を「非常時」とし、商用電源６により電力供給されている状態を「常時」とする場合がある。また、非常用ランプ２としては、蛍光灯やＬＥＤ（Light  Emitting  Diode）等、目的に応じて種々の光源が用いられてもよい。
【００２４】
非常用電源３は、商用電源６による電力供給が停止した場合、非常用ランプ２に電力供給を行う蓄電池（二次電池）である。非常用電源３は、目的に応じて種々の蓄電池が用いられてもよい。また、非常用電源３は、商用電源６による電力供給時に充電される。すなわち、非常用電源３は、常時において商用電源６による電力供給により充電される。なお、非常用電源３は、トリクル充電や間欠充電等の種々の充電方式を適宜用いて充電されてもよい。
【００２５】
非常用点灯制御部４は、常時に非常用電源３の充電を行い、非常時に非常用ランプ２を非常用電源３により点灯させる。例えば、非常用ランプ２は、非常時のみ非常用点灯制御部４から電源供給され点灯する。また、非常用点灯制御部４は、各種の処理手順などを規定したプログラムおよび所要データを格納するための内部メモリを有し、これらによって種々の処理を実行してもよい。
【００２６】
ビーコン５は、近距離無線通信機能により所定間隔で自装置の識別情報を発信する発信機である。また、ビーコン５は、近距離無線通信機能により自装置の非常動作における点検情報を発信する。なお、ビーコン５は、所定の情報を受信する。例えば、ビーコン５は、点検情報を要求する要求情報を受信する。図１に示す例において、ビーコン５は、点検情報を要求する要求情報を受信した場合、格納部８に格納された点検情報を発信する。
【００２７】
また、ビーコン５は、常時において商用電源６から非常用点灯制御部４へ供給される電源の一部を用いて動作する。また、ビーコン５は、非常時において非常用電源３から非常用点灯制御部４へ供給される電源の一部を用いて動作する。なお、ビーコン５は、点検情報の情報量がビーコン５の通信量を超えた場合、点検情報を分割して発信するが、詳細は後述する。
【００２８】
商用電源６は、例えば、所定の電力会社から供給される電力源である。商用電源６は、常時において、非常用点灯制御部４経由で非常用電源３の充電および非常用点灯制御部４への電源供給を行う。また、商用電源６は、非常用電源３からの電力供給以外であれば、どのような電力供給手段であってもよい。
【００２９】
点検部７は、例えば、自装置を点検し、自装置の点検情報を収集する。また、点検部７は、例えば、自装置を点検し、自装置の非常動作における点検情報を収集する。具体的には、点検部７は、非常用ランプ２、非常用電源３、非常用点灯制御部４、及びビーコン５等の点検に必要な各機器の状態を点検情報としてモニタして収集する。また、点検部７は常時において商用電源６から非常用点灯制御部４へ供給される電源の一部を用いて動作する。
【００３０】
格納部８は、点検部７により収集された点検情報を格納する。また、格納部８は、要求情報を受信したビーコン５により格納した点検情報が読み出される。また、格納部８は、非常用点灯制御部４による各種処理に必要なデータおよびプログラムを格納してもよい。なお、格納部８とは、ＲＡＭ（Random  Access  Memory）、ＲＯＭ（Read  Only  Memory）、フラッシュメモリ（Flash  Memory）などの半導体メモリ素子などの記憶装置であってもよい。また、格納部８は常時において商用電源６から非常用点灯制御部４へ供給される電源の一部を用いて動作する。
【００３１】
［ビーコンと端末の通信］
ここで、点検システム１００における非常用照明装置１のビーコン５と、端末９との通信の具体例を図面に基づいて説明する。図３は、実施形態に係る点検システムにおける端末とビーコンとの通信の一例を示す図である。図３に示す例においては、左から右への移動が時間の経過に対応する。
【００３２】
図３に示すように、非常用照明装置１のビーコン５は、所定間隔で自装置の識別情報を発信する。例えば、非常用照明装置１のビーコン５は、所定間隔ＩＶ１１（図３中「ＡＤＶＥＲＴＩＳＩＮＧ  ＩＮＴＥＲＶＡＬ」に対応。以下同じ）おきに自装置の識別情報ＩＳ１１（図３に示す「ＡＤＶＥＲＴＩＳＩＮＧ  ＤＡＴＡ」に対応。以下同じ）を発信する。
【００３３】
また、図３に示すように、ビーコン５は、端末９から点検情報の取得を要求する要求情報ＤＳ１１を受信した場合、点検情報ＣＳ１１（図３に示す「ＳＣＡＮ  ＲＥＳＰＯＮＳＥ  ＤＡＴＡ」に対応。以下同じ）を発信する。例えば、ビーコン５から識別情報ＩＳ１１を受信した端末９は、識別情報ＩＳ１１を含む要求情報ＤＳ１１をビーコン５へ送信する。また、例えば、端末９は、アプリにより要求情報ＤＳ１１をビーコン５へ送信する。例えば、端末９を利用する管理者等は、端末９に「この非常灯を点検しますか？」といったメッセージとともに表示された「ＯＫ」ボタンにタッチすることにより、要求情報ＤＳ１１をビーコン５へ送信する。これにより、端末９は、ビーコン５が発信した点検情報ＣＳ１１を受信する。
【００３４】
なお、ビーコン５は、端末９から点検情報の取得を要求する要求情報ＤＳ１１を受信した場合、所定間隔ＩＶ１１内、すなわち次に識別情報ＩＳ１１を発信するまでに点検情報ＣＳ１１を発信する。
【００３５】
次に、ビーコン５による点検情報の発信について説明する。図４は、実施形態に係るビーコンによる点検情報の発信の一例を示すフローチャートである。
【００３６】
まず、ビーコン５は、点検情報の取得を要求する要求情報を受信したかどうかを判定する（ステップＳ１０１）。ビーコン５は、点検情報の取得を要求する要求情報を受信していない場合（ステップＳ１０１：Ｎｏ）、ステップＳ１０１の判定を繰り返す。なお、ビーコン５は、所定間隔で自装置の識別情報を発信する。
【００３７】
また、ビーコン５は、点検情報の取得を要求する要求情報を受信した場合（ステップＳ１０１：Ｙｅｓ）、自装置の点検情報を発信する（ステップＳ１０２）。
【００３８】
［点検情報の情報量がビーコンの通信量を超えた場合］
次に、点検情報の情報量がビーコン５の通信量を超えた場合における、ビーコン５と、端末９との通信の具体例を図面に基づいて説明する。図５は、実施形態に係る点検システムにおける端末とビーコンとの通信の一例を示す図である。図５に示す例においては、左から右への移動が時間の経過に対応する。なお、図５に示す例において、非常用照明装置１の点検情報の情報量がビーコン５の通信量を超えるものとする。また、非常用照明装置１の点検情報全体を点検情報ＣＳ１２とし、分割された点検情報を分割点検情報ＣＳ１２ａ、ＣＳ１２ｂ、ＣＳ１２ｃとして、以下説明する。
【００３９】
図５に示すように、非常用照明装置１のビーコン５は、所定間隔で自装置の識別情報を発信する。例えば、ビーコン５は、所定間隔ＩＶ１１（図５中の「ＡＤＶＥＲＴＩＳＩＮＧ  ＩＮＴＥＲＶＡＬ」に対応。以下同じ）おきに自装置の識別情報ＩＳ１１（図５に示す「ＡＤＶＥＲＴＩＳＩＮＧ  ＤＡＴＡ」に対応。以下同じ）を発信する。
【００４０】
また、図５に示すように、ビーコン５は、端末９から点検情報の取得を要求する要求情報ＤＳ１１を受信した場合、点検情報ＣＳ１２を発信する。例えば、ビーコン５から識別情報ＩＳ１１を受信した端末９は、識別情報ＩＳ１１を含む要求情報ＤＳ１１をビーコン５へ送信する。ここで、図５に示す例においては、点検情報ＣＳ１２の情報量がビーコン５の通信量を超えているため、ビーコン５は、要求情報ＤＳ１１に受信に応じて、分割点検情報ＣＳ１２ａ、ＣＳ１２ｂ、ＣＳ１２ｃを発信する。
【００４１】
具体的には、ビーコン５は、最初に端末９から点検情報の取得を要求する要求情報ＤＳ１１を受信した場合、分割点検情報ＣＳ１２ａ（図５中の左から１つ目の「ＳＣＡＮ  ＲＥＳＰＯＮＳＥ  ＤＡＴＡ」に対応。以下同じ）を発信する。例えば、ビーコン５は、端末９から要求情報ＤＳ１１を何回受信したかを管理しており、受信回数に対応する分割点検情報ＣＳ１２ａを発信する。そして、端末９は、ビーコン５が発信した分割点検情報ＣＳ１２ａを受信する。なお、ビーコン５は、端末９から点検情報の取得を要求する要求情報ＤＳ１１を受信した場合、所定間隔ＩＶ１１内、すなわち次に識別情報ＩＳ１１を発信するまでに対応する分割点検情報（例えば、分割点検情報ＣＳ１２ａ）を発信する。
【００４２】
その後、ビーコン５は、次に端末９から点検情報の取得を要求する要求情報ＤＳ１１を受信した場合、分割点検情報ＣＳ１２ｂ（図５中の左から２つ目の「ＳＣＡＮ  ＲＥＳＰＯＮＳＥ  ＤＡＴＡ」に対応。以下同じ）を発信する。そして、端末９は、ビーコン５が発信した分割点検情報ＣＳ１２ｂを受信する。
【００４３】
さらに、ビーコン５は、端末９から点検情報の取得を要求する要求情報ＤＳ１１を受信した場合、分割点検情報ＣＳ１２ｃ（図５中の左から３つ目の「ＳＣＡＮ  ＲＥＳＰＯＮＳＥ  ＤＡＴＡ」に対応。以下同じ）を発信する。そして、端末９は、ビーコン５が発信した分割点検情報ＣＳ１２ｃを受信する。
【００４４】
このように、端末９は、点検情報ＣＳ１２の情報量がビーコン５の通信量を超える場合、分割点検情報ＣＳ１２ａ、ＣＳ１２ｂ、ＣＳ１２ｃをビーコン５から順次受信することにより、点検情報ＣＳ１２全体を取得することができる。また、例えば、分割点検情報を何回受信すれば良いかは、端末９側のアプリにより管理されてもよい。この場合、端末９は、要求情報ＤＳ１１をビーコン５へ何回送信すればよいかを把握できる。また、例えば、ビーコン５は、最後の分割点検情報ＣＳ１２ｃを発信する際に、分割点検情報ＣＳ１２ｃに点検情報ＣＳ１２の最後の分割点検情報であることを示す情報を付加してもよい。この場合、端末９は、最後の分割点検情報であることを示す情報を付加された分割点検情報ＣＳ１２ｃを受信するまで要求情報ＤＳ１１を送信し、分割点検情報ＣＳ１２ｃを受信した場合、要求情報ＤＳ１１の送信を終了してもよい。
【００４５】
次に、ビーコン５による分割点検情報の発信について説明する。図６は、実施形態に係るビーコンによる分割された点検情報の発信の一例を示すフローチャートである。
【００４６】
まず、ビーコン５は、点検情報の取得を要求する要求情報を受信したかどうかを判定する（ステップＳ２０１）。ビーコン５は、点検情報の取得を要求する要求情報を受信していない場合（ステップＳ２０１：Ｎｏ）、ステップＳ２０１の判定を繰り返す。なお、ビーコン５は、所定間隔で自装置の識別情報を発信する。
【００４７】
また、ビーコン５は、点検情報の取得を要求する要求情報を受信した場合（ステップＳ２０１：Ｙｅｓ）、分割した点検情報のうち、対応する点検情報を発信する（ステップＳ２０２）。すなわち、ビーコン５は、要求情報の受信回数に対応する分割点検情報を発信する。
【００４８】
その後、ビーコン５は、分割した点検情報を全て発信したかどうかを判定する（ステップＳ２０３）。ビーコン５は、分割した点検情報を全て発信していない場合（ステップＳ２０３：Ｎｏ）、ステップＳ２０１の判定を繰り返す。
【００４９】
また、ビーコン５は、分割した点検情報を全て発信した場合（ステップＳ２０３：Ｙｅｓ）、要求情報の受信回数に対応する分割点検情報を全て発信したとして、処理を終了する。
【００５０】
上述のように、実施形態に係る照明装置（実施形態においては「非常用照明装置１」）は、光源（実施形態においては「非常用ランプ２」）と、近距離無線通信機能により自装置の非常動作における点検情報を発信する発信機（実施形態においては「ビーコン５」）とを具備する。
【００５１】
これにより、例えば、サーバ１０は、端末９を介して非常用照明装置１から点検情報を取得することができる。このように、点検システム１００は、非常用照明装置１がビーコン５により自装置の点検情報を発信することにより、点検を容易化することができる。
【００５２】
また、上述した実施形態に係る非常用照明装置１は、商用電源６による電力供給時に非常用電源３の充電を行い、商用電源６による電力供給が停止した場合、非常用ランプ２を非常用電源３により点灯させる非常用点灯制御部４を具備する。また、ビーコン５は、商用電源６による電力供給時に点検情報を発信する。
【００５３】
これにより、非常用照明装置１のビーコン５は、例えば、商用電源６による電力供給が停止時に収集した点検情報を、商用電源６による電力供給時に発信することができる。また、ビーコン５は、商用電源６による電力供給の停止時に、非常用電源３からの電力により点検情報を発信してもよい。これにより、例えば、非常用照明装置１のビーコン５は、商用電源６による電力供給が停止した場合であっても、非常用電源３からの電力により点検情報を発信することができる。このように、点検システム１００は、非常用照明装置１のビーコン５が停電時においても点検情報を発信できることにより、点検を容易化することができる。
【００５４】
また、上述した実施形態に係る非常用照明装置１は、点検情報を取得する点検部７と、点検部７により取得された点検情報を格納する格納部８とをさらに具備する。ビーコン５は、点検情報を要求する要求情報を受信すると、格納部８に格納された点検情報を発信する。
【００５５】
これにより、例えば、非常用照明装置１は、点検情報を格納し、所望のタイミングで点検情報をビーコン５により発信することができる。このように、点検システム１００は、非常用照明装置１のビーコン５により所望のタイミングで点検情報を発信できることにより、点検を容易化することができる。
【００５６】
また、上述した実施形態に係る非常用照明装置１において、ビーコン５は、点検情報の情報量が発信機の通信量を超えた場合、要求情報の受信に応じて、分割された点検情報を発信する。
【００５７】
これにより、例えば、非常用照明装置１は、非常用照明装置１の点検情報の情報量がビーコン５の通信量を超える場合であっても、端末９等の所定の外部装置に点検情報を取得させることができる。このように、点検システム１００は、非常用照明装置１の点検情報の情報量がビーコン５の通信量を超える場合、点検情報を分割してビーコン５に発信させることにより、点検を容易化することができる。
【００５８】
上述した実施形態に係る点検システム１００において、非常用照明装置１と、要求情報を送信することにより、非常用照明装置１から点検情報を受信する端末９とを具備する。
【００５９】
これにより、例えば、点検システム１００において、サーバ１０は、端末９を介して非常用照明装置１から点検情報を取得することができる。このように、点検システム１００は、端末９が要求情報を送信することにより、非常用照明装置１から点検情報を受信することにより、点検を容易化することができる。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００６１】
１００    点検システム
１        非常用照明装置
２        非常用ランプ
３        非常用電源
４        非常用点灯制御部
５        ビーコン
６        商用電源
７        点検部
８        格納部
９        端末
１０      サーバ
【図１】
2019165025.tif 000003
【図２】
2019165025.tif 000004
【図３】
2019165025.tif 000005
【図４】
2019165025.tif 000006
【図５】
2019165025.tif 000007
【図６】
2019165025.tif 000008